(57)【要約】【課題】  電球が装填されていない場合であっても、開口内の汚染を抑制することが可能な電球ソケットを提供すること。【解決手段】  電球８を支持し且つ点灯させるための導通経路を構成する電球ソケットＡ１であって、電球８の口金８１が装填される装填部１と、装填部１の開口１４を塞ぐ閉状態と、装填部１への電球８の装填を許容するように開口１４を露出させる開状態と、をとる扉部３と、扉部３に閉状態をとらせる第１状態と、扉部３に開状態をとらせる第２状態と、をとる操作部５と、操作部５を第２状態から第１状態に復帰させる復帰力を付勢する付勢部４と、を備える。【選択図】  図１
2020107398.tif 000002
【特許請求の範囲】
【請求項１】
電球を支持し且つ点灯させるための導通経路を構成する電球ソケットであって、
前記電球の口金が装填される装填部と、
前記装填部の開口を塞ぐ閉状態と、前記装填部への前記電球の装填を許容するように前記開口を露出させる開状態と、をとる扉部と、
前記扉部に前記閉状態をとらせる第１状態と、前記扉部に前記開状態をとらせる第２状態と、をとる操作部と、
前記操作部を前記第２状態から前記第１状態に復帰させる復帰力を付勢する付勢部と、を備えることを特徴とする、電球ソケット。
【請求項２】
前記扉部は、互いに接近することにより前記閉状態を実現し、互いに離間することによって前記開状態を実現する、一対の扉片を含む、請求項１に記載の電球ソケット。
【請求項３】
前記扉部は、前記一対の扉片に個別に連結された一対のアーム部を含み、
前記操作部は、前記一対のアーム部に接触しつつ前記第１状態と前記第２状態とを両端として往復動可能である、請求項２に記載の電球ソケット。
【請求項４】
前記付勢部は、前記一対のアーム部に個別に連結された一対の弾性部材を含む、請求項３に記載の電球ソケット。
【発明の詳細な説明】
【技術分野】
【０００１】
本発明は、電球ソケットに関する。
【背景技術】
【０００２】
電球ソケットは、電球の口金が螺合等によって嵌められることにより、電球を支持するとともに、電球を点灯させるための導通経路を構成するものである。特許文献１には、従来の電球ソケットの一例が開示されている。電球ソケットは、雌ねじ状電極と底部電極とを有し、電球の口金を装填するための開口を有する。
【先行技術文献】
【特許文献】
【０００３】
【特許文献１】特開２００７−２４２４３５号公報
【発明の概要】
【発明が解決しようとする課題】
【０００４】
電球ソケットに電球が装填されていない場合、雌ねじ状電極や底部電極が外部に露出した状態となる。このため、雌ねじ状電極や底部電極に、埃が付着したり、開口から虫が侵入したりすること等の、汚染が懸念される。
【０００５】
本発明は、上記した事情のもとで考え出されたものであって、電球が装填されていない場合であっても、開口内の汚染を抑制することが可能な電球ソケットを提供することをその課題とする。
【課題を解決するための手段】
【０００６】
本発明によって提供される電球ソケットは、電球を支持し且つ点灯させるための導通経路を構成する電球ソケットであって、前記電球の口金が装填される装填部と、前記装填部の開口を塞ぐ閉状態と、前記装填部への前記電球の装填を許容するように前記開口を露出させる開状態と、をとる扉部と、前記扉部に前記閉状態をとらせる第１状態と、前記扉部に前記開状態をとらせる第２状態と、をとる操作部と、前記操作部を前記第２状態から前記第１状態に復帰させる復帰力を付勢する付勢部と、を備えることを特徴としている。
【０００７】
本発明の好ましい実施の形態においては、前記扉部は、互いに接近することにより前記閉状態を実現し、互いに離間することによって前記開状態を実現する、一対の扉片を含む。
【０００８】
本発明の好ましい実施の形態においては、前記扉部は、前記一対の扉片に個別に連結された一対のアーム部を含み、前記操作部は、前記一対のアーム部に接触しつつ前記第１状態と前記第２状態とを両端として往復動可能である。
【０００９】
本発明の好ましい実施の形態においては、前記付勢部は、前記一対のアーム部に個別に連結された一対の弾性部材を含む。
【発明の効果】
【００１０】
本発明によれば、電球が装填されていない場合であっても、開口内の汚染を抑制することができる。
【００１１】
本発明のその他の特徴および利点は、添付図面を参照して以下に行う詳細な説明によって、より明らかとなろう。
【図面の簡単な説明】
【００１２】
【図１】本発明の第１実施形態に係る電球ソケットを示す平面図である。
【図２】本発明の第１実施形態に係る電球ソケットを示す正面図である。
【図３】本発明の第１実施形態に係る電球ソケットを示す要部平面図である。
【図４】図１のＩＶ−ＩＶ線に沿う断面図である。
【図５】本発明の第１実施形態に係る電球ソケットを示す平面図である。
【図６】本発明の第１実施形態に係る電球ソケットを示す要部平面図である。
【図７】図５のＶＩＩ−ＶＩＩ線に沿う断面図である。
【図８】本発明の第１実施形態に係る電球ソケットを示す断面図である。
【発明を実施するための形態】
【００１３】
以下、本発明の好ましい実施の形態につき、図面を参照して具体的に説明する。
【００１４】
本開示における「第１」、「第２」等の用語は、単にラベルとして用いたものであり、必ずしもそれらの対象物に順列を付することを意図していない。
【００１５】
＜第１実施形態＞
図１〜図８は、本発明の第１実施形態に係る電球ソケットを示している。本実施形態の電球ソケットＡ１は、装填部１、内部支持体２、扉部３、付勢部４、操作部５および筐体６を備えている。電球ソケットＡ１は、電球８を支持するとともに、電球８を点灯させるための導通経路を構成するものである。
【００１６】
図１は、扉部３が閉状態である電球ソケットＡ１を示す平面図である。図２は、電球ソケットＡ１を示す正面図である。図３は、扉部３が閉状態である電球ソケットＡ１を示す要部平面図である。図４は、図１のＩＶ−ＩＶ線に沿う断面図である。図５は、扉部３が開状態である電球ソケットＡ１を示す平面図である。図６は、扉部３が開状態である電球ソケットＡ１を示す要部平面図である。図７は、図５のＶＩＩ−ＶＩＩ線に沿う断面図である。図８は、電球８が装填された状態の電球ソケットＡ１を示す断面図である。
【００１７】
〔装填部１〕
装填部１は、後述の電球８の口金８１が装填されるものである。装填部１の構成は特に限定されず、たとえば一般的に流通している市販の電球ソケットを用いてもよい。本実施形態の装填部１は、図４に示すように、本体１１、雌ねじ状電極１２および底部電極１３を有する。
【００１８】
本体１１は、口金８１が装填される筒状部分を有する構造体であり、絶縁性の材料からなる。雌ねじ状電極１２は、本体１１の筒状部分の内側に設けられており、電球８の口金８１と螺合する雌ねじ状の形状とされた金属部材である。底部電極１３は、本体１１の筒状部分の底部付近に設けられている。なお、雌ねじ状電極１２および底部電極１３は、図示しない導通部材によって、外部との導通接続が可能である。前記導通部材には、たとえば電源ケーブル（図示略）が接続される。当該電源ケーブルからは、たとえば商用の１００Ｖ交流電力が供給される。本体１１の筒状部分および雌ねじ状電極１２のｚ方向図中上端部分は、開口１４を構成している。
【００１９】
〔内部支持体２〕
内部支持体２は、扉部３、付勢部４および操作部５を、装填部１に対する所望の位置において支持するためのものである。内部支持体２の具体的構造は、特に限定されない。また、内部支持体２の材料は特に限定されず、たとえば樹脂等の絶縁性材料からなることが好ましい。
【００２０】
図１、図３および図４に示すように、本実施形態の内部支持体２は、天部２１および側部２２を有する。天部２１は、装填部１に対してｚ方向図中上方に位置する部位であり、図示された例においては、円板状である。本実施形態の天部２１は、挿通部２１１、扉部用スリット２１２、操作部用スリット２１３、一対の付勢部用ピン部２１４および一対の扉部用ピン部２１５を有する。
【００２１】
挿通部２１１は、電球８を装填部１に装填する際に、電球８を挿通させるための開口である。挿通部２１１の形状および大きさは、特に限定されず、図示された例においては、天部２１の略中央に円形状の開口として設けられている。
【００２２】
扉部用スリット２１２は、扉部３の動作を規定するためのスリットであり、天部２１を貫通している。図示された例においては、扉部用スリット２１２は、図３において挿通部２１１に対してｙ方向図中下側に設けられている。扉部用スリット２１２は、中央からｘ方向両側に向かうほどｙ方向図中上側に位置するような円弧形状である。
【００２３】
操作部用スリット２１３は、操作部５の動作を規定するためのスリットであり、天部２１を貫通している。図示された例においては、操作部用スリット２１３は、図３において挿通部２１１に対してｙ方向図中上側に設けられている。操作部用スリット２１３は、ｙ方向に沿った形状である。
【００２４】
一対の付勢部用ピン部２１４は、付勢部４の一部を回動可能に支持するためのものであり、各々が図４におけるｚ方向図中上方に突出している。図示された例においては、一対の付勢部用ピン部２１４は、図３において挿通部２１１および操作部用スリット２１３に対してｙ方向図中上側に設けられており、操作部用スリット２１３を挟んでｘ方向両側に配置されている。
【００２５】
一対の扉部用ピン部２１５は、扉部３の一部を回動可能に支持するためのものであり、各々が図４におけるｚ方向図中上方に突出している。図示された例においては、一対の扉部用ピン部２１５は、図３に示すように、ｙ方向において挿通部２１１と一対の付勢部用ピン部２１４との間に設けられている。また、一対の扉部用ピン部２１５は、操作部用スリット２１３を挟んでｘ方向両側に配置されており、ｘ方向において一対の付勢部用ピン部２１４の間に配置されている。
【００２６】
側部２２は、図４に示すように、天部２１からｚ方向図中下方に延びており、装填部１のｘ方向両側やｙ方向両側に位置している。側部２２の形状や大きさは特に限定されず、たとえば円筒形状である。
【００２７】
〔扉部３〕
扉部３は、図１、図３および図４に示すように装填部１の開口１４を塞ぐ閉状態と、図５〜図７に示すように装填部１への電球８の装填を許容するように開口１４を露出させる開状態と、をとるものである。本実施形態においては、扉部３は、内部支持体２によって支持されており、天部２１のｚ方向上側に配置されている。本実施形態の扉部３は、一対の扉片３１および一対のアーム部３２を含む。
【００２８】
一対の扉片３１は、図１、図３および図４に示す閉状態において、内部支持体２の天部２１の挿通部２１１を塞ぐことにより、装填部１の開口１４を塞ぎ、図５〜図７に示す開状態において、挿通部２１１および開口１４を露出させるものである。一対の扉片３１の形状や大きさは特に限定されず、図示された例においては、各々が半円形状の板状部材とされている。図１、図３および図４に示す閉状態においては、一対の扉片３１が近接することにより円形状をなし、挿通部２１１および開口１４を塞ぐ。
【００２９】
一対のアーム部３２は、図３に示すように、一対の扉片３１に個別に連結されている。一対のアーム部３２は、後述の操作部５を用いた操作によって、一対の扉片３１に開閉動作を行わせるような機構を実現している。図示された例においては、一対のアーム部３２は、各々が屈曲形状であり、ｚ方向視において互いに交差している。図示された例においては、図３のｘ方向図中右側の扉片３１に繋がるアーム部３２に段差部が設けられていることにより、互いに交差する一対のアーム部３２が干渉することが回避されている。また、一対のアーム部３２は、各々に設けられた貫通孔に一対の扉部用ピン部２１５が個別に挿通されている。これにより、一対の扉片３１および一対のアーム部３２は、一対の扉部用ピン部２１５を中心として回動可能に支持されている。
【００３０】
〔操作部５〕
操作部５は、扉部３に閉状態をとらせる第１状態と、扉部３に前記開状態をとらせる第２状態と、をとるものである。操作部５の具体的構成は特に限定されず、本実施形態においては、操作部５は、図１〜図４に示すように、シャフト部５１および頭部５２を有する。
【００３１】
シャフト部５１は、ｚ方向に延びる棒状の部位であり、内部支持体２の天部２１の操作部用スリット２１３に挿通されている。頭部５２は、シャフト部５１のｚ方向図中上端に繋がっている。また、頭部５２は、筐体６からｚ方向上方に突出する。
【００３２】
図３に示す状態においては、シャフト部５１は、一対のアーム部３２の屈曲部分に挟まれた空隙箇所に挿通されており、扉部３に閉状態をとらせている。この状態が、操作部５の第１状態である。一方、図６に示すように、シャフト部５１が、操作部用スリット２１３に沿ってｙ方向図中上方に移動し、扉部３に開状態をとらせる状態が、操作部５の第２状態である。
【００３３】
〔付勢部４〕
付勢部４は、操作部５を第２状態から第１状態に復帰させる復帰力を付勢するものである。付勢部４の具体的構成は特に限定されず、所望の復帰力を生じさせるものであればよい。付勢部４は、たとえば弾性力、磁力、電力等を適宜利用可能である。
【００３４】
本実施形態においては、付勢部４は、図３および図６に示すように、一対の弾性部材４１を含む。一対の弾性部材４１は、復帰力として用いられる弾性力を発揮する部材であり、図示された例においては、たとえば弦巻ばねである。一対の弾性部材４１は、一対のアーム部３２のうち扉片３１と繋がる部位とは反対側の端部と、一対の付勢部用ピン部２１４とに個別に取り付けられている。
【００３５】
図３に示す一対の弾性部材４１は、たとえば自然長から若干延長された状態である。一方、図６に示す一対の弾性部材４１は、自然長から明らかに大きく延長されており、アーム部３２の端部と付勢部用ピン部２１４とを近づけるような引張力（復帰力）を発揮している。なお、図３においては、弾性部材４１は、自然長であってもよい。
【００３６】
〔筐体６〕
筐体６は、装填部１、内部支持体２、扉部３、付勢部４および操作部５の一部を収容しており、電球ソケットＡ１の外観のほとんどをなすものである。筐体６の具体的構成は特に限定されず、図示された例においては、図１、図２および図４に示すように、天板部６１、側板部６２および底板部６３を有する。筐体６の材質は特に限定されず、たとえば樹脂からなる。
【００３７】
天板部６１は、天部２１、扉部３、付勢部４に対してｚ方向図中上方に配置されている。天板部６１の形状や大きさは特に限定されず、図示された例においては、円板状である。本実施形態の天板部６１は、挿通部６１１および操作部用スリット６１２を有する。
【００３８】
挿通部６１１は、電球８を装填部１に装填する際に、電球８を挿通させるための開口である。挿通部６１１の形状および大きさは、特に限定されず、図示された例においては、天板部６１の略中央に円形状の開口として設けられている。
【００３９】
操作部用スリット６１２は、操作部用スリット２１３に沿って往復動する操作部５のシャフト部５１を挿通させるためのスリットであり、天板部６１を貫通している。図示された例においては、天板部６１３は、図１において挿通部６１１に対してｙ方向図中上側に設けられている。操作部用スリット６１２は、ｙ方向に沿った形状である。
【００４０】
側板部６２は、図４に示すように、天板部６１からｚ方向図中下方に延びており、内部支持体２のｘ方向両側やｙ方向両側に位置している。側板部６２は、たとえば円筒形状である。また、図２に示すように、側板部６２には、ケーブル用開口６２１を設けてもよい。ケーブル用開口６２１は、装填部１に接続される電源ケーブルを挿通させるための開口である。
【００４１】
底板部６３は、図４に示すように、側板部６２のｚ方向図中下端に取り付けられている。底板部６３の形状や大きさは特に限定されず、図示された例においては、図１に示すように、ｚ方向視において天板部６１および側板部６２よりも若干大きい円板状である。本実施形態においては、底板部６３には、装填部１および内部支持体２が取り付けられている。
【００４２】
〔電球８〕
電球８は、電球ソケットＡ１の装填部１に装填されて通電されることにより発光するものである。電球８の具体的な構成は特に限定されず、具体例として、光源としてフィラメントを有する白熱電球や、ＬＥＤチップを光源とするＬＥＤ電球等が挙げられる。図７および図８の電球８は、ＬＥＤ電球である場合を例に示している。電球８は、口金８１、透光カバー８２およびテーパ部８３を有する。
【００４３】
口金８１は、装填部１に装填される部位であり、図示された例においては、雄ねじ状電極８１１および中心電極８１２を有する。雄ねじ状電極８１１は、雄ねじ形状に加工された金属板部材からなり、装填部１の雌ねじ状電極１２に螺合することにより、雌ねじ状電極１２と導通する。中心電極８１２は、電球８のｚ方向図中下端に設けられており、装填部１の底部電極１３と接触することにより、底部電極１３と導通する。
【００４４】
透光カバー８２は、光源であるＬＥＤチップからの光を透過させる材料からなる球殻状の部材である。透光カバー８２は、半透明または透明な樹脂やガラス等からなる。
【００４５】
テーパ部８３は、口金８１と透光カバー８２との間に位置しており、たとえばＬＥＤチップや電源部等を支持している。テーパ部８３は、ｚ方向において口金８１から透光カバー８２へと向かうほどｚ方向と直角である断面寸法が大きくなるテーパ形状である。
【００４６】
次に、電球ソケットＡ１の作用について説明する。
【００４７】
図１〜図４に示すように、電球ソケットＡ１（装填部１）に電球８が装填されていない場合、操作部５が第１状態にあり、扉部３が閉状態をとる。これにより、装填部１の開口１４は、外部に露出していない。このため、開口１４を通じて装填部１の内部の雌ねじ状電極１２や底部電極１３に埃が付着したり、虫が侵入したりすることを抑制することができる。一方、図５〜図８に示すように、電球８を電球ソケットＡ１（装填部１）に装填する際には、操作部５を操作して第２状態をとらせることにより、扉部３が開状態をとる。これにより、装填部１の開口１４が外部に露出し、挿通部６１１および挿通部２１１を通して、電球８の口金８１を装填部１に装填することができる。そして、電球８を装填部１から取り外すと、付勢部４からの復帰力によって、操作部５が第１状態へと復帰し、扉部３が再び閉状態をとる。したがって、装填部１の開口１４内の汚染を抑制することができる。
【００４８】
扉部３が一対の扉片３１を含む構成であることにより、扉部３の開状態と閉状態とを交互にとるための開閉動作を、よりスムーズに行うことができる。たとえば、扉部３が一つの部材のみからなる場合、当該部材のサイズが大きくなり、開閉のためのスイング量やスライド量が過大となってしまう。本実施形態においては、個々の扉片３１のスイング量を抑制することが可能であり、電球ソケットＡ１の小型化に有利である。
【００４９】
また、図８に示すように、電球８が装填された状態においては、付勢部４の復帰力により、扉部３が閉状態をとろうとする。これにより、一対の扉片３１が電球８の一部（図示された例においては、テーパ部８３）を挟むように、電球８（テーパ部８３）に当接する。したがって、一対の扉片３１が不安定な状態におかれることを回避することができる。
【００５０】
扉部３が、一対のアーム部３２を含む。これにより、操作部５のスライド操作によって、一対のアーム部３２を介して、一対の扉片３１をより大きく回動させることが可能である。
【００５１】
付勢部４が一対の弾性部材４１を含むことにより、操作部５の操作量や一対の扉片３１の回動量に応じて、復帰力がより線形的に発揮される。これは、付勢部４による復帰力が、不自然に生じたり、復帰力に過不足が生じたりすることを抑制するのに好ましい。
【００５２】
本発明に係る電球ソケットは、上述した実施形態に限定されるものではない。本発明に係る電球ソケットの各部の具体的な構成は、種々に設計変更自在である。
【符号の説明】
【００５３】
Ａ１    ：電球ソケット
１      ：装填部
２      ：内部支持体
３      ：扉部
４      ：付勢部
５      ：操作部
６      ：筐体
８      ：電球
１１    ：本体
１２    ：雌ねじ状電極
１３    ：底部電極
１４    ：開口
２１    ：天部
２２    ：側部
３１    ：扉片
３２    ：アーム部
４１    ：弾性部材
５１    ：シャフト部
５２    ：頭部
６１    ：天板部
６２    ：側板部
６３    ：底板部
８１    ：口金
８２    ：透光カバー
８３    ：テーパ部
２１１  ：挿通部
２１２  ：扉部用スリット
２１３  ：操作部用スリット
２１４  ：付勢部用ピン部
２１５  ：扉部用ピン部
６１１  ：挿通部
６１２  ：操作部用スリット
６１３  ：天板部
６２１  ：ケーブル用開口
８１１  ：雄ねじ状電極
８１２  ：中心電極
【図１】
2020107398.tif 000003
【図２】
2020107398.tif 000004
【図３】
2020107398.tif 000005
【図４】
2020107398.tif 000006
【図５】
2020107398.tif 000007
【図６】
2020107398.tif 000008
【図７】
2020107398.tif 000009
【図８】
2020107398.tif 000010